(57)【要約】  通常の出金時に出金される紙幣を収納した収納カセット１６ａ〜１６ｆとは別に、緊急時に出金する緊急用紙幣であるベイトマネーを収納するベイトマネー収納部１４が設けられる。そして、緊急時にベイトマネーの出金が要求されたとき、ベイトマネー収納部１４より紙幣出金口にベイトマネーを強制的に搬送して、即座にベイトマネーを出金する。
2008078382.tif 000002
【特許請求の範囲】
【請求項１】
紙幣を収納する複数の紙幣収納部と、
出金紙幣を集積する紙幣出金部と、
緊急時に出金する緊急用紙幣を収納するとともに前記紙幣収納部とは異なる位置に設置される緊急用紙幣収納部と、
前記紙幣収納部又は前記緊急用紙幣収納部から前記紙幣出金部に紙幣を搬送する搬送部と、
緊急時に前記緊急用紙幣収納部に収納された前記緊急用紙幣を前記紙幣出金部へ出金するために、前記搬送部により前記緊急用紙幣の搬送動作を制御する制御部と、
を備えることを特徴とする紙幣処理装置。
【請求項２】
前記搬送部に設けられるとともに前記搬送部での紙幣の搬送状態を検知するセンサ部と、
前記センサ部による出力に基づいて前記搬送部での紙幣の搬送状態の異常の有無を判定する搬送状態判定部と、
を更に備え、
緊急時に前記緊急用紙幣収納部から前記紙幣出金部に前記緊急用紙幣を搬送する際、前記搬送状態判定部による判定結果に関わらず、前記緊急用紙幣が前記紙幣出金部に強制的に搬送されるように、前記制御部によって前記搬送部の搬送動作が制御されることを特徴とする請求項１に記載の紙幣処理装置。
【請求項３】
前記搬送状態判定部によって異常と判定された前記搬送部における紙幣の搬送状態を示す異常情報を記憶する記憶部を、更に備えることを特徴とする請求項２に記載の紙幣処理装置。
【請求項４】
前記緊急用紙幣収納部から前記紙幣出金部まで前記緊急用紙幣を搬送する第１搬送距離が、前記紙幣収納部から前記紙幣出金部まで前記紙幣を搬送する第２搬送距離よりも短くなる位置に、前記緊急用紙幣収納部が設置されることを特徴とする請求項１に記載の紙幣処理装置。
【請求項５】
前記搬送部が、前記緊急用紙幣収納部から前記紙幣出金部まで前記緊急用紙幣を搬送する第１搬送路と、前記紙幣収納部から前記紙幣出金部まで前記紙幣を搬送する第２搬送路とを備え、
前記第１及び第２搬送路の少なくとも一部が重なることを特徴とする請求項４に記載の紙幣処理装置。
【請求項６】
前記緊急用紙幣収納部に収納された前記緊急用紙幣を複数枚出金するとともに、複数枚の前記緊急用紙幣を前記搬送路を通じて一括して前記紙幣出金部に搬送することを特徴とする請求項１に記載の紙幣処理装置。
【請求項７】
前記緊急用紙幣収納部に収納される前記緊急用紙幣を特定する紙幣特定情報を記憶する記憶部を、更に備えることを特徴とする請求項１に記載の紙幣処理装置。
【請求項８】
緊急時に前記紙幣出金部から前記緊急用紙幣を出金する際、所定時間以内に前記緊急用紙幣収納部に収納された前記緊急用紙幣を前記紙幣出金部より出金することを特徴とする請求項１に記載の紙幣処理装置。
【請求項９】
前記紙幣出金部が、
前記搬送部から搬送された紙幣を一時的に収納する一時保留部と、
該一時保留部に一時的に収納された紙幣が出金される出金口と、
を備えることを特徴とする請求項１に記載の紙幣処理装置。
【請求項１０】
紙幣が入金される紙幣入金口を備え、当該紙幣入金口から入金された紙幣が前記搬送部を通じて前記紙幣収納部に搬送されて収納されることを特徴とする請求項１に記載の紙幣処理装置。
【請求項１１】
前記紙幣入金口より前記緊急用紙幣が入金されたとき、入金された前記緊急用紙幣が前記搬送部を通じて前記緊急用紙幣収納部に搬送されて収納されることを特徴とする請求項１０に記載の紙幣処理装置。
【請求項１２】
前記紙幣収納部を有する第１ユニットと、
前記紙幣出金部と、前記緊急用紙幣収納部とを有する第２ユニットと、
を備えることを特徴とする請求項１に記載の紙幣処理装置。
【請求項１３】
各操作が指示される操作入力部を備えることを特徴とする請求項１〜請求項１２のいずれかに記載の紙幣処理装置。
【請求項１４】
各操作が指示される上位端末と接続され、該上位端末からの指示を前記制御部が確認することで、指示された前記各操作を行うことを特徴とする請求項１〜請求項１２のいずれかに記載の紙幣処理装置。
【発明の詳細な説明】
【技術分野】
【０００１】
本発明は、内部に紙幣を収納する紙幣処理装置に関するもので、特に、おとりとされる紙幣を通常出金する紙幣とは別に収納する紙幣処理装置に関する。
【背景技術】
【０００２】
金融機関や交通機関の窓口、或いはスーパーマーケットやコンビニエンスストアなどの精算所においては、紙幣および硬貨の入出金処理を機械的に自動で行えるような貨幣入出金処理システムが導入されている。そして、この貨幣入出金処理システムにおいて、紙幣の入出金処理を行う紙幣処理装置が使用される。この紙幣処理装置として、例えば、金融機関のカウンター内に設置され、係員（テラー）が現金を入出金する紙幣入出金機（特許文献１参照）や、スーパーマーケットのＰＯＳ（Point  Of  Sales）レジスタ等に接続され、釣銭の自動払い出しを行う紙幣処理装置（特許文献２参照）などがある。又、特許文献で示した装置以外にも、紙幣の出金のみを行う紙幣出金機がある。【０００３】
これらの紙幣処理装置にうち、紙幣の入出金を行う装置では、紙幣の繰り出し及び収納を行うための紙幣収納部を有している。そして、この紙幣収納部における収納方式についても、種々の方式がある。この収納方式として、紙幣を重ねた状態で繰り出し或いは収納するスタッカ方式や、２枚のテープ間に紙幣を挟み、回転ドラムの周面に巻き付ける形式の巻き取り方式（特許文献３参照）などがある。【０００４】
このような紙幣処理装置を含む貨幣入出金システムが導入された環境においては、強盗が押し入って金銭の要求がなされる場合が想定され、このような金銭の要求があったときにおいて人命を優先するためのシステムが採用されている。この人命を優先するためのシステムの一つとして、予め記番号などが控えられた紙幣を「おとり」の紙幣（以下、「ベイトマネー」と呼ぶ）を緊急用紙幣として準備し、金銭が要求されたときに、このベイトマネーを渡すことで人命を優先するとともに犯罪者を追跡するという運用がある。【０００５】
このベイトマネーの運用システムを利用したものとして、警報のスイッチと接続されたクリップを備え、このクリップにベイトマネーを挟んで使用するＰＯＳ（Point  Of  Sales）レジスタが提案されている（特許文献４参照）。このＰＯＳレジスタでは、クリップに挟まれたベイトマネーが引出トレイから抜き取られると、クリップに接続されたスイッチがＯＮとなり、警報が作動するように構成されている。【０００６】
又、ベイトマネーの運用システムを上述の紙幣処理装置に利用した場合、入出金される紙幣を収納する紙幣収納部の１つにベイトマネーを収納しておき、上述のような緊急時に緊急用紙幣として出金するようにしたものがある。このような紙幣処理装置においては、予め、記番号などのベイトマネーとする紙幣を特定できる情報を記録し、この情報が記録された紙幣を特定の紙幣収納部に収納させる。
【特許文献１】特開２００４−１４５６００号公報
【特許文献２】特開２００５−７０８９９号公報
【特許文献３】特開２００６−２６００７８号公報
【特許文献４】米国特許第５，４４０，１０７号公報
【発明の開示】
【発明が解決しようとする課題】
【０００７】
しかしながら、ベイトマネーを収納するために紙幣収納部を１つ利用する場合、通常の入出金に利用する紙幣収納部の数が減るため、その機能を低下させてしまうという問題がある。又、この紙幣収納部が出金口から遠い位置に設置されていることにより、出金に時間がかかるだけでなく、出金口までの経路上で搬送異常が発生し、このことにより出金が停止される可能性がある。
【課題を解決するための手段】
【０００８】
このような問題を鑑みて、本発明は、緊急時において、ベイトマネーを確実に素早く出金できる紙幣処理装置を提供することを目的とする。【０００９】
上記目的を達成するために、本発明の紙幣処理装置は、紙幣を収納する複数の紙幣収納部と、出金紙幣を集積する紙幣出金部と、緊急時に出金する緊急用紙幣を収納するとともに前記紙幣収納部とは異なる位置に設置される緊急用紙幣収納部と、前記紙幣収納部又は前記緊急用紙幣収納部から前記紙幣出金部に紙幣を搬送する搬送部と、緊急時に前記緊急用紙幣収納部に収納された前記緊急用紙幣を前記紙幣出金部へ出金するために、前記搬送部により前記緊急用紙幣の搬送動作を制御する制御部と、を備えることを特徴とする。
【発明の効果】
【００１０】
本発明によると、緊急時に出金する緊急用紙幣を収納する緊急用紙幣収納部を、紙幣収納部と紙幣出金口を結ぶ搬送路の間に設置するため、緊急用紙幣の搬送にかかる時間を通常の出金時よりも短くすることができる。又、緊急用紙幣を搬送する経路を短くすることができるため、搬送途上での異常の発生を抑制することができる。更に、緊急用紙幣の搬送時にセンサ部により異常を検知した場合においても、その異常の有無に関係なく、緊急用紙幣を強制的に出金することができるので、緊急時に確実に緊急用紙幣を出金することができる。
【図面の簡単な説明】
【００１１】
【図１】本発明の実施形態の紙幣出金機の構成を示す外観斜視図である。
【図２】図１の紙幣出金機の内部構成を示す概略断面図である。
【図３】図１の紙幣出金機の内部構成を示すブロック図である。
【図４】図１の紙幣出金機におけるベイトマネー収納部の構成を示す断面図である。
【図５】図１の紙幣出金機の通常出金動作時のメインフローを示すフローチャートである。
【図６】図１の紙幣出金機の通常出金時における搬送路での異常検出動作を示すフローチャートである。
【図７】図１の紙幣出金機の通常出金時における搬送路での異常検出動作を示すフローチャートである。
【図８】図１の紙幣出金機の通常出金動作時における機体内での紙幣の搬送ルートを示す図である。
【図９】図１の紙幣出金機の通常出金動作時における上部ユニット内での紙幣の搬送ルートを示す図である。
【図１０】図１の紙幣出金機のベイトマネー出金動作を示すフローチャートである。
【図１１】図１の紙幣出金機のベイトマネー出金動作時における機体内での紙幣の搬送ルートを示す図である。
【図１２】図１の紙幣出金機のベイトマネー出金動作時における上部ユニット内での紙幣の搬送ルートを示す図である。
【図１３】本発明の紙幣入出金機の構成の一例を示す外観斜視図である。
【図１４】図１３の紙幣入出金機の内部構成を示す概略断面図である。
【符号の説明】
【００１２】
１    紙幣出金機
２，２ａ，２ｂ    上位端末
１０ａ，１０ｂ    紙幣出金口
１１    一時保留部
１２，１２ａ，１２ｂ，１２ｘ    搬送路
１３    リジェクト部
１４    ベイトマネー収納部
１５    センサ部
１５ａ    ２枚検出センサ
１５ｂ〜１５ｅ    位置検出センサ
１６ａ〜１６ｆ    収納カセット
１７    上部ユニット制御部
１８    下部ユニット制御部
１９    通信インターフェース
１９ａ    通信コネクタ
２０    電源ユニット
２１    メモリ
２２    操作部
２３    ディスプレイ
【発明を実施するための最良の形態】
【００１３】
以下に本発明の実施形態について、図面を参照して説明する。尚、以下では、本実施形態の紙幣処理装置として、紙幣出金機を代表して説明する。又、本実施形態の紙幣出金機は、例えば銀行などの金融機関のカウンターに、このカウンターの内側に居る２人のテラー間に設置されるものとする。【００１４】
（紙幣出金機の構成）
１．機械ブロック
まず、本実施形態の紙幣出金機の機械的な構成について、その外観斜視図となる図１と、概略断面図となる図２を参照して説明する。図１に示すように、本実施形態の紙幣出金機１には、左右の２人のテラーが操作する上位端末２ａ，２ｂがそれぞれ接続されている。この上位端末２ａ，２ｂは紙幣出金機１と通信可能な状態であり、上位端末２ａ，２ｂのいずれか一方のみで紙幣出金機１を使用する場合、両方で紙幣出金機１を使用する場合の３通りの使用方法が可能である。【００１５】
そして、紙幣出金機１を構成する機体が、テラーが操作する操作面側を前面１ａとし、この前面１ａと反対側を後面１ｂとした場合、左右方向の横幅が狭く、前後方向の奥行きが長いとともに上下方向の高さが高い縦型に構成されている。そして、この紙幣出金機１は、機体側面１ｃ，１ｄそれぞれの上側に紙幣を出金する紙幣出金口１０ａ，１０ｂが設けられ、この紙幣出金口１０ａ，１０ｂに搬出された紙幣が、上位端末２ａ，２ｂそれぞれを操作するテラーによって取り出される。【００１６】
この紙幣出金機１は、図２の断面図に示すように、紙幣出金口１０ａ，１０ｂ（図１参照）に紙幣を搬送する搬送路を備えた上部ユニット１ｘと、紙幣を収納する収納カセットを備えた下部ユニット１ｙとによって構成される。尚、紙幣出金口１０ａ，１０ｂはそれぞれ、機体側面１ｃ，１ｄそれぞれにおける上部ユニット１ｘの設置位置に配置される。即ち、紙幣出金口１０ａ，１０ｂそれぞれが、後述する一時保留部１１を挟むように、機体側面１ｃ，１ｄそれぞれに設置される。【００１７】
そして、上部ユニット１ｘが、紙幣出金口１０ａ，１０ｂに搬出する紙幣を保留する一時保留部１１と、紙幣を搬送する搬送路１２と、２枚出金などの搬送異常となった紙幣が収納されるリジェクト部１３と、緊急時に搬出される複数枚のベイトマネーの束を収納するベイトマネー収納部１４と、２枚以上重なって下部ユニット１ｙから紙幣が搬送された２枚出金を検出する２枚検出センサ１５ａと、紙幣が正常に搬送されていることを確認する位置検出センサ１５ｂ〜１５ｅと、を備える。【００１８】
又、この上部ユニット１ｘに設置された搬送路１２は、下部ユニット１ｙから搬送される紙幣を上部ユニット１ｘ内に搬入させる搬送路１２ａと、ベイトマネー収納部１４又は搬送路１２ａからの紙幣を一時保留部１１まで搬送する搬送路１２ｂと、搬送路１２ｂから分岐して紙幣をリジェクト部１３に搬送する搬送路１２ｃと、を備える。そして、前面１ａから後面１ｂに向かって、リジェクト部１３、一時保留部１１、ベイトマネー収納部１４の順に位置するように、それぞれが設置される。【００１９】
又、２枚検出センサ１５ａが、下部ユニット１ｙからの紙幣が搬入される搬送路１２ａと下部ユニット１ｙの搬送路１２ｘとの接続部分付近に設置される。そして、位置検出センサ１５ｂが搬送路１２ａ上に、位置検出センサ１５ｃが搬送路１２ｂ上にそれぞれ設置される。又、位置検出センサ１５ｄが搬送路１２ｂにおける一時保留部１１の搬入口手前に、位置検出センサ１５ｅが搬送路１２ｂにおけるベイトマネー収納部１４の搬出口手前にそれぞれ設置される。【００２０】
更に、下部ユニット１ｙが、金種の異なる紙幣をそれぞれ収納する複数の収納カセット１６ａ〜１６ｆと、収納カセット１６ａ〜１６ｆに収納された紙幣を上部ユニット１ｘに搬送する搬送路１２ｘと、上位端末２ａ，２ｂと通信接続するための通信コネクタ１９ａと、上部ユニット１ｘ及び下部ユニット１ｙの各部に外部電源からの交流電力を直流電力に変換して供給する電源ユニット２０と、を備える。【００２１】
２．制御ブロック
次に、上述のような機械ブロックを備えた紙幣出金機１の制御ブロックについて、図３のブロック図を参照して説明する。図３に示すように、本実施形態の紙幣出金機１は、上部ユニット１ｘの各ブロックの動作制御を行う上部ユニット制御部１７と、下部ユニット１ｙの各ブロックの動作制御を行う下部ユニット制御部１８と、通信コネクタ１９ａを含むとともに上位端末２（図１の上位端末２ａ，２ｂに相当）と通信を行う通信インターフェース１９と、ベイトマネー収納部１４に収納されたベイトマネーとなる各紙幣を特定する紙幣番号などの特定情報や収納カセット１６ａ〜１６ｆに収納された紙幣の金種に関する収納情報などを記憶したメモリ２１と、紙幣出金機１を直接操作するための操作部２２と、現在の動作状態や検出された異常などの表示を行うディスプレイ２３と、を備える。【００２２】
そして、上部ユニット制御部１７によって、搬送路１２による上部ユニット１ｘ内における紙幣の搬送、一時保留部１１から紙幣出金口１０ａ，１０ｂへの紙幣の搬出、リジェクト部１３からの紙幣の取り出し可能な状態への遷移、ベイトマネー収納部１４からのベイトマネーの搬出、ディスプレイ２３の表示、などの各動作が制御される。又、センサ部１５（図２の２枚検出センサ１５ａ及び位置検出センサ１５ｂ〜１５ｅを含む）からの各信号を受信して、紙幣の搬送異常の検出を行う。この上部ユニット制御部１７は、下部ユニット制御部１８の制御動作を行うとともに、通信インターフェース１９を通じて上位端末２との通信を行う。更に、操作部２１が操作されることにより発生する入力信号が入力されて、その操作内容を確認する。【００２３】
又、上部ユニット制御部１７によって制御される下部ユニット制御部１８は、搬送路１２ｘによる下部ユニット１ｙ内での紙幣の搬送、収納カセット１６ａ〜１６ｆからの搬出動作、などの各動作を制御する。尚、この下部ユニット制御部１８によって、不図示のセンサによる信号を受信して、下部ユニット１ｙ内での搬送異常の検出も行われ、この搬送異常の検出結果を上部ユニット制御部１７に送信する。【００２４】
このように、紙幣出金機１の制御ブロックが構成されるとき、通信インターフェース１９を通じて上部ユニット制御部１７に対して、上位となる上位端末２から制御信号を受信して、各ブロックの動作制御を行う。又、操作部２２が直接操作されることによっても、上部ユニット制御部１７が操作部２２の操作に応じた制御信号を受信して、各ブロックの動作制御を行う。【００２５】
このとき、操作部２２又は上位端末２によって、出金金額が入力されて通常の出金動作が指示されると、上部ユニット制御部１７が演算を行うことで、出金金額に応じて出金する各金種の枚数を求める。そして、メモリ２１に記憶した収納情報を上部ユニット制御部１７が確認することで、出金する紙幣の各金種に応じた収納カセットを収納カセット１６ａ〜１６ｆより選択する。その後、上部ユニット制御部１７が下部ユニット制御部１８を制御することで、選択した収納カセットから出金する枚数分の搬出を行う。【００２６】
又、緊急時において、操作部２２又は上位端末２によって、ベイトマネーの出金動作が指示されると、ベイトマネー収納部１４に収納された複数枚のベイトマネーが束ごと搬送路１２に搬出される。そして、このベイトマネーの出金時において、センサ部１５（図２の位置検出センサ１５ｂ〜１５ｅを含む）からの信号に基づいて、上部ユニット制御部１７が異常を検知したとき、検知した異常内容をメモリ２１に記録する。尚、これらの動作の詳細については後述する。【００２７】
（ベイトマネー収納部の構成）
次に、上部ユニット１ｘに設置されるベイトマネー収納部１４の構成について、図４の概略構成図を参照して説明する。図４に示すように、ベイトマネー４０が積載される紙幣セットトレイ４１と、屈曲した先端がセットトレイ４１の積載面から突出して積載されるベイトマネー４０に当接する紙幣セット検知レバー４２と、紙幣セット検知レバー４２の変位量より積載されたベイトマネー４０の有無を検知する紙幣セット検知センサ４３と、搬送路１２ｂにベイトマネー４０を束のまま繰り出す繰出用ローラ４４ａ，４４ｂと、搬送路１２ｂにベイトマネー４０が繰り出されるのを妨げるストッパ４５と、ストッパ４５を揺動してベイトマネー４０の搬送路１２ｂへの搬送禁止／解除を設定するストッパ解除用ソレノイド４６と、を備える。【００２８】
このように構成されるベイトマネー収納部１４は、ベイトマネー４０がセットトレイ４１の積載面に積載されると、セットトレイ４１の積載面から突出した紙幣セット検知レバー４２の先端がベイトマネー４０によって押圧される。そのため、このベイトマネー４０と当接する先端から離れた位置の紙幣セット検知センサ４３の設置部分を中心として紙幣セット検知レバー４２が回動する。【００２９】
この紙幣セット検知レバー４２の回動による変位量が、紙幣セット検知センサ４３によって検知されることで、セットトレイ４１にベイトマネー４０が積載されていることを検知する。そして、紙幣セット検知センサ４３で検知したことを示す信号が上位ユニット制御部１７に送信されることにより、上位ユニット制御部１７において、セットトレイ４１にベイトマネー４０が積載されていることが認識される。【００３０】
このようにベイトマネー４０がセットトレイ４１に積載されているとき、セットトレイ４１の下側に固定設置された繰出用ローラ４４ａと、セットトレイ４１に積載されたベイトマネー４０の表面に当接するように上下に稼働する繰出用ローラ４４ｂとによって、ベイトマネー４０が挟まれる。そして、ストッパ解除用ソレノイド４６によって、ストッパ４５が上側に固定された状態とされ、ストッパ４５の屈曲した先端部分がセットトレイ４１の積載面から突出して、ベイトマネー４０それぞれの端辺に当接した状態となる。これにより、ストッパ４５にベイトマネー４０を当接させて、搬送路１２ｂにベイトマネー４０が搬送されることを防ぐことができる。【００３１】
又、上位ユニット制御部１７によりベイトマネー４０の搬送が指示されると、上部ユニット制御部１７によってストッパ解除用ソレノイド４６が制御され、ストッパ解除用ソレノイド４６がストッパ４５を下側に移動させる。即ち、セットトレイ４１の積載面から突出しているストッパ４５の屈曲した先端部分がセットトレイ４１の下側に待避するように、ストッパ解除用ソレノイド４６によってストッパ４５が揺動される。これにより、ベイトマネー４０の端辺に当接されたストッパ４５の突出部分が、セットトレイ４１と搬送路１２ｂとの間からなくなるため、ベイトマネー４０が搬送路１２ｂへ搬出可能な状態となる。そして、上位ユニット制御部１７により繰出用ローラ４４ａ，４４ｂそれぞれが駆動するように制御されることで、ベイトマネー４０が束のまま、セットトレイ４１から搬送路１２ｂに搬出される。【００３２】
（通常出金動作）
上述のような紙幣出金機１による通常出金時の動作について、図面を参照して説明する。尚、図５が、通常出金動作時のメインフローを示すフローチャートであり、図６及び図７が、通常出金時における搬送路１２における異常検出動作を示すフローチャートである。又、図８が、紙幣出金機１内における紙幣の搬送ルートを示す図であり、図９が、上部ユニット１ｘにおける紙幣の搬送ルートを示す図である。【００３３】
図５に示すように、操作部２２又は上位端末２によって、出金金額が指定されて、指定された出金金額による通常出金動作の開始が指示されると（ＳＴＥＰ１）、まず、上部ユニット制御部１７において、出金金額より必要な金種とその枚数が演算される（ＳＴＥＰ２）。そして、メモリ２１に記憶した収納情報に基づいて、必要とされる金種の紙幣が格納された収納カセットが収納カセット１６ａ〜１６ｆより認識され、各金種の枚数毎に収納カセットからの搬出動作を切り換えるための紙幣の搬出フローが設定される（ＳＴＥＰ３）。【００３４】
そして、紙幣の搬出フローが設定されると、金種毎に必要な枚数が収納カセットより搬出されると、次に搬出を行う収納カセットに切り換えて、金種毎に順番に必要な枚数だけ搬出が行えるように、設定した搬出フローに従った通常出金動作を開始する（ＳＴＥＰ４）。この通常出金動作は、図８に示すように、下部ユニット１ｙにおいて、収納カセット１６ａ〜１６ｆの一つから紙幣が搬送路１２ｘに搬出されると、この搬送路１２ｘを通して、上部ユニット１ｘの搬送路１２ａに搬送される。【００３５】
上部ユニット１ｘでは、搬送路１２ａに搬送された紙幣が２枚以上重なっているか否かを２枚検出センサ１５ａで検出する。このとき、２枚検出センサ１５ａで２枚以上重なって紙幣が搬送されていることを検知すると、上部ユニット制御部１７によって搬送路１２ｂから分岐される搬送路１２ｃを駆動して、搬送路１２ａを通じて搬送路１２ｂに搬送された紙幣を、搬送路１２ｃによってリジェクト部１３に搬送する。尚、２枚検出センサ１５ａにより２枚以上の紙幣が重なって検出された場合以外においても、搬送路１２又は搬送路１２ｘ上で詰まって折れ曲がった紙幣などもリジェクト部１３に搬送される。【００３６】
又、２枚検出センサ１５ａで異常が検出されなかった場合は、上部ユニット制御部１７によって搬送路１２ｂのみが駆動されるため、そのまま、搬送路１２ｂによって一時保留部１１まで搬送される。よって、一時保留部１１は、１枚ずつ紙幣が搬送路１２ｂより搬入され、搬送フローによって設定された金種順に必要な枚数分毎に重ねて収納されることとなる。そして、一時保留部１１の搬入口付近に設置された位置検出センサ１５ｄによって一時保留部１１への紙幣の搬入が検出された信号が上部ユニット制御部１７に与えられる毎に、一時保留部１１に搬入された紙幣の枚数が計数される。よって、この計数結果により、各金種が必要枚数搬入されたことが上部ユニット制御部１７により検出される度に、下部ユニット制御部１８によって、紙幣を繰り出す収納カセットが切り換えられることとなる。【００３７】
このとき、例えば、収納カセット１６ａからＳ１枚の紙幣、収納カセット１６ｂからＳ２枚の紙幣を、収納カセット１６ｂ、１６ａの順に出金するように、搬出フローが設定された場合、まず、上部ユニット制御部１７から搬出フローが下部ユニット制御部１８に与えられる。そして、下部ユニット制御部１８によって、収納カセット１６ｂから１枚ごとに紙幣を繰り出す。このとき、上部ユニット制御部１７によって、２枚検出センサ１５ａ及び位置検出センサ１５ｂ〜１５ｄによって異常なくＳ２枚の紙幣が一時保留部１２に搬送されたことが確認されると、次に、下部ユニット制御部１８によって、収納カセット１６ｂからの搬出動作を停止し、収納カセット１６ａから１枚ごとに紙幣を繰り出すように紙幣の搬出を行う。【００３８】
このような通常出金動作が開始されると、図９に示すように、上部ユニット１ｘの搬送路１２ａ，１２ｂ及び一時保留部１１の搬入口に設置された位置検出センサ１５ｂ〜１５ｄからの信号によって、上部ユニット制御部１７が紙幣の搬送異常の有無を検出する（ＳＴＥＰ５）。この位置検出センサ１５ｂ〜１５ｄからの信号による搬送異常の検出について、図６及び図７のフローチャートに従って説明する。【００３９】
まず、図６のフローチャートによる搬送路１２ａ，１２ｂに設置された位置検出センサ１５ｂ，１５ｃの信号によって、この位置検出センサ１５ｂ，１５ｃ間での紙幣の搬送異常の検出動作について説明する。このときの動作は、図６のフローチャートに示すように、上部ユニット制御部１７によって、一時保留部１１に収納された紙幣による金額が出金金額となり、出金動作が終了したか否かが確認される（ＳＴＥＰ５０１）。このとき、出金動作の終了が確認されると（Ｙｅｓ）、搬送異常を検出するための処理動作も終了する。【００４０】
又、ＳＴＥＰ５０１において、出金動作が続いていることが確認されると（Ｎｏ）、上部ユニット制御部１７が、位置検出センサ１５ｂからの信号の有無に基づいて、搬送路１２ｘから搬送路１２ａに紙幣が搬送されたか否かを検出する（ＳＴＥＰ５０２）。このとき、位置検出センサ１５ｂからの信号により、搬送路１２ａの位置検出センサ１５ｂの設置位置に紙幣が搬送されたことが確認されると（Ｙｅｓ）、不図示のタイマで計測される時間Ｔ１が設定される（ＳＴＥＰ５０３）。【００４１】
この時間Ｔ１は、紙幣が、搬送路１２ａの位置検出センサ１５ｂの位置から、搬送路１２ｂの位置検出センサ１５ｃの位置までに異常なく搬送されるときにかかる上限となる時間である。尚、以下で説明するＳＴＥＰ５０４及びＳＴＥＰ５０５での動作が行われる時間Δｔ１に基づいて、Ｔ１／Δｔ１によって求まる整数値Ｎ１をＳＴＥＰ５０３で設定し、後述のＳＴＥＰ５０５において、この整数値Ｎ１を１つずつデクリメントして減算するものとしても構わない。逆に、ＳＴＥＰ５０３において、タイマで計測される時間を０として初期化し、タイマで初期化してから経過した時間を計数し、所定の時間Ｔ１になったことが、後述のＳＴＥＰ５０６で計測されるものとしても構わない。【００４２】
このように、不図示のタイマにおける時間がＴ１に設定されると、位置検出センサ１５ｃからの信号の有無に基づいて、搬送路１２ａから搬送路１２ｂに紙幣が搬送されたか否かを検出する（ＳＴＥＰ５０４）。尚、この位置検出センサ１５ｂの信号の有無に基づく紙幣の搬送の確認動作については、後述する図７のフローチャートの動作においても行われる。【００４３】
そして、ＳＴＥＰ５０４で、位置検出センサ１５ｃからの信号により、搬送路１２ｂの位置検出センサ１５ｃの設置位置に紙幣が搬送されたことが確認されると（Ｙｅｓ）、正常に紙幣が搬送路１２ｂの位置検出センサ１５ｃまで搬送されたことを確認するため、Ｓ
ＴＥＰ５０１に移行する。更に、ＳＴＥＰ５０２において、位置検出センサ１５ｂからの信号により、搬送路１２ａに紙幣が搬送されていないことが確認される場合においても（Ｎｏ）、ＳＴＥＰ５０１に移行する。【００４４】
又、ＳＴＥＰ５０４で、位置検出センサ１５ｃからの信号により、搬送路１２ｂの位置検出センサ１５ｃの設置位置への紙幣の搬送が確認されていないとき（Ｎｏ）、不図示のタイマによる時間が処理にかかる時間Δｔ１だけ減算された後（ＳＴＥＰ５０５）、減算された時間が０となって、タイムアウトとなったか否かが確認される（ＳＴＥＰ５０６）。そして、ＳＴＥＰ５０６で、不図示のタイマにおける時間が０でない場合は（Ｎｏ）、ＳＴＥＰ５０４に移行して、位置検出センサ１５ｃの信号が確認される。又、ＳＴＥＰ５０６で、不図示のタイマにおける時間が０となった場合は（Ｙｅｓ）、紙幣の搬送異常が発生したものと上部ユニット制御部１７が確認し（ＳＴＥＰ５０７）、搬送異常を検出するための処理動作を終了する。【００４５】
即ち、ＳＴＥＰ５０４〜ＳＴＥＰ５０６を繰り返すことによって、位置検出センサ１５ｂで紙幣が検出された後、時間Ｔ１が経過するまでに、位置検出センサ１５ｃで紙幣が検出されるか否かが確認される。そして、時間Ｔ１が経過するまでに、位置検出センサ１５ｃで紙幣が検出されなかった場合、搬送路１２ａの位置検出センサ１５ｂの設置位置から、搬送路１２ｂの位置検出センサ１５ｃの設置位置までの間で、搬送異常があったものとされる。【００４６】
次に、図７のフローチャートによる搬送路１２ｂ及び一時保留部１１の搬入口手前に設置された位置検出センサ１５ｃ，１５ｄの信号によって、この位置検出センサ１５ｃ，１５ｄ間での紙幣の搬送異常の検出動作について説明する。このときの動作においても、図６のフローチャートによる動作と同様、図７のフローチャートに示すように、出金動作が終了したか否かが確認され（ＳＴＥＰ５１１）、出金動作の終了が確認されると、搬送異常を検出するための処理動作も終了する。【００４７】
又、ＳＴＥＰ５１１において、出金動作が続いていることが確認されると（Ｎｏ）、上部ユニット制御部１７が、まず、位置検出センサ１５ｃからの信号の有無に基づいて、搬送路１２ａから搬送路１２ｂに紙幣が搬送されたか否かを検出する（ＳＴＥＰ５１２）。このとき、搬送路１２ｂの位置検出センサ１５ｃの設置位置に紙幣が搬送されたことが確認されると（Ｙｅｓ）、不図示のタイマで計測される時間Ｔ２が設定され（ＳＴＥＰ５１３）、逆に、搬送路１２ｂの位置検出センサ１５ｃの設置位置での紙幣の搬送が確認されなかった場合は（Ｎｏ）、ＳＴＥＰ５１１に移行する。【００４８】
尚、不図示のタイマによる時間Ｔ２の計測についても、上述の時間Ｔ１と同様、インクリメントするものでも構わないし、デクリメントするものでも構わない。又、時間そのものを計測するものとしても構わないし、以下で説明するＳＴＥＰ５１４及びＳＴＥＰ５１５での動作が行われる時間Δｔ２に基づいて、Ｔ２／Δｔ２によって求まる整数値Ｎ２をデクリメント又はインクリメントすることによって、時間を計測するものとしても構わない。【００４９】
そして、ＳＴＥＰ５１３で時間Ｔ２が設定されると、位置検出センサ１５ｄからの信号の有無に基づいて、搬送路１２ｂによって紙幣が一時保留部１１の搬入口まで搬送されたか否かを検出する（ＳＴＥＰ５１４）。このとき、位置検出センサ１５ｄの信号により、一時保留部１１の搬入口まで紙幣が搬送されたことが確認されると（Ｙｅｓ）、正常に紙幣が一時保留部１１の搬入口まで搬送されたことを確認するため、ＳＴＥＰ５１１に移行する。一方、一時保留部１１の搬入口への紙幣の搬送が確認されていないとき（Ｎｏ）、不図示のタイマによる時間が処理にかかる時間Δｔ２だけ減算された後（ＳＴＥＰ５１５）、減算された時間が０となって、タイムアウトとなったか否かが確認される（ＳＴＥＰ５１６）。【００５０】
更に、ＳＴＥＰ５１６で、不図示のタイマにおける時間が０でない場合は（Ｎｏ）、ＳＴＥＰ５１４に移行して、位置検出センサ１５ｄの信号が確認される。又、ＳＴＥＰ５１６で、不図示のタイマにおける時間が０となった場合は（Ｙｅｓ）、紙幣の搬送異常が発生したものと上部ユニット制御部１７が確認し（ＳＴＥＰ５１７）、搬送異常を検出するための処理動作を終了する。【００５１】
即ち、ＳＴＥＰ５１４〜ＳＴＥＰ５１６を繰り返すことによって、位置検出センサ１５ｃで紙幣が検出された後、時間Ｔ２が経過するまでに、位置検出センサ１５ｄで紙幣が検出されるか否かが確認される。そして、時間Ｔ２が経過するまでに、位置検出センサ１５ｄで紙幣が検出されなかった場合、搬送路１２ｂの位置検出センサ１５ｃの設置位置から、一時保留部１１の搬入口手前の位置検出センサ１５ｄの設置位置までの間で、搬送異常があったものとされる。【００５２】
このように、ＳＴＥＰ５では、図６及び図７のフローチャートによる処理動作を行うことで、位置検出センサ１５ｂ〜１５ｄによって、下側ユニットにおける搬送路１２ｘから一時保留部１１までの搬送路１２ａ，１２ｂを含む搬送路において、搬送異常があるか否かが確認される。そして、搬送異常が確認されたとき（Ｙｅｓ）、出金動作を停止するとともに（ＳＴＥＰ６）、ディスプレイ２３に搬送路での搬送異常があったことを表示し（ＳＴＥＰ７）、動作を終了する。尚、搬送異常の表示については、操作を行っている上位端末２ａ，２ｂに表示されるものとしても構わない。【００５３】
この搬送異常の表示において、図６のフローチャートによる搬送異常の検出によって異常が検出された場合は、位置検出センサ１５ｂ，１５ｃの設置位置の間で異常があったことを示す表示が成されるものとする。又、図７のフローチャートによる搬送異常の検出によって異常が検出された場合は、位置検出センサ１５ｃ，１５ｄの設置位置の間で異常があったことを示す表示が成されるものとする。【００５４】
又、ＳＴＥＰ５において、搬送路１２における異常が検出されなかった場合は（Ｎｏ）、指定された出金金額となる紙幣が全て一時保管部１１に搬送されたか否かによって、出金動作が終了したか否かが確認される（ＳＴＥＰ８）。出金動作の終了が確認されなかった場合は（Ｎｏ）、ＳＴＥＰ５に移行して、再び、搬送異常の有無が確認され、又、出金動作の終了が確認された場合は（Ｙｅｓ）、搬送路１２の搬送動作及び下部ユニット１ｙによる動作を停止する（ＳＴＥＰ９）。【００５５】
そして、搬送路１２及び下部ユニット１ｙによる紙幣の搬送動作を停止すると、一時保管部１１に収納された紙幣を紙幣出金口１０ａ，１０ｂのいずれか一方に搬出した後（ＳＥＴＰ１０）、通常出金動作を終了する。尚、このとき、上位端末２ａ，２ｂに応じて、搬出する紙幣出金口１０ａ，１０ｂが設定されても構わないし、操作部２２によって紙幣出金口１０ａ，１０ｂが設定されても構わない。【００５６】
尚、この通常出金動作時において、搬送路１２ａ，１２ｂ上を搬送される紙幣の長さや厚みを計測し、長さが規定値より長い又は短い紙幣、又は、厚みが規定値より厚い又は薄い紙幣が検出された場合、搬送路１２ｃを駆動することで、該当した紙幣をリジェクト部１３へ搬送する。同様に、搬送路１２ａ，１２ｂ上を搬送される紙幣の傾き（斜めになって搬送）を計測し、傾きが規定値より大きい場合、搬送路１２ｃを駆動することで、該当した紙幣をリジェクト部１３へ搬送する。更に、下部ユニット制御部１８により、搬送路１２ｘにおいて搬送異常が確認されたとき、上部ユニット制御部１７に搬送異常が発生したことが報知され、ＳＴＥＰ５で搬送異常を検知することとなり、ＳＴＥＰ６に移行して搬送動作を停止させる。尚、上述では、入力された出金金額に基づいて、金種や枚数が設定されて出金されるものとしたが、金種や枚数を上位端末２ａ，２ｂ又は操作部２２により指定されて出金されるものとしても構わない。【００５７】
（ベイトマネー出金動作）
上述のように通常出金動作を行う紙幣出金機１に対して、緊急時においてベイトマネー収納部１４に収納されたベイトマネーを出金する場合について、図面を参照して以下に説明する。尚、図１０が、ベイトマネーの出金動作を示すフローチャートである。又、図１１が、紙幣出金機１内における紙幣の搬送ルートを示す図であり、図１２が、上部ユニット１ｘにおける紙幣の搬送ルートを示す図である。【００５８】
図１０に示すように、操作部２２又は上位端末２によって、ベイトマネー出金動作の開始が指示されると（ＳＴＥＰ１０１）、上部ユニット制御部１７において、不図示のタイマで計測される時間Ｔ３が設定される（ＳＴＥＰ１０２）。この時間Ｔ３は、紙幣が、ベイトマネー収納部１４の搬出口から、一時保留部１１の搬入口までに異常なく搬送されるときにかかる上限となる時間である。【００５９】
尚、以下で説明するＳＴＥＰ１０３や、ＳＴＥＰ１０６及びＳＴＥＰ１０７や、ＳＴＥＰ１１０〜ＳＴＥＰ１１２などでの動作が行われる時間Δｔ３に基づいて、Ｔ３／Δｔ３によって求まる整数値Ｎ３をＳＴＥＰ１０２で設定し、この整数値Ｎ３を１つずつデクリメントして減算することで、時間計測が行われるものとしても構わない。逆に、ＳＴＥＰ１０２において、タイマで計測される時間を０として初期化し、タイマで初期化してから経過した時間を計数し、所定の時間Ｔ３になったことが計測されるものとしても構わない。【００６０】
不図示のタイマで時間が設定されると、上部ユニット制御部１７がベイトマネー収納部１４及び搬送路１２ｂの動作を制御することで、ベイトマネーの出金動作を開始する（ＳＴＥＰ１０３）。即ち、ストッパ解除用ソレノイド４６によってストッパ４５によるベイトマネー４０の搬送の禁止状態を解除し、繰出用ローラ４４ａ，４４ｂを駆動して、搬送路１２ｂへのベイトマネー４０の繰り出しを行うとともに、搬送路１２ｂによる搬送動作を開始する。【００６１】
そして、上部ユニット制御部１７が、位置検出センサ１５ｅからの信号に基づいて、ベイトマネー収納部１４の搬出口における位置検出センサ１５ｅの設置位置を、ベイトマネーとなる紙幣の束が通過したか否かが確認される（ＳＴＥＰ１０４）。即ち、位置検出センサ１５ｅによって、ベイトマネーとなる紙幣を搬送路１２ｂの位置検出センサ１５ｅの設置位置にあることが確認された後に、搬送路１２ｂの位置検出センサ１５ｅの設置位置において紙幣がなくなったことが確認される。これにより、ベイトマネーとなる紙幣が、ベイトマネー収納部１４より搬送路１２ｂに搬出されたことが確認されることとなる。【００６２】
このＳＴＥＰ１０４において、ベイトマネーとなる紙幣の束の通過が確認されていない場合（Ｎｏ）、不図示のタイマによる時間が処理にかかる時間Δｔ３だけ減算された後（ＳＴＥＰ１０５）、減算された時間が０となって、タイムアウトとなったか否かが確認される（ＳＴＥＰ１０６）。そして、ＳＴＥＰ１０６で、不図示のタイマにおける時間が０でない場合は（Ｎｏ）、ＳＴＥＰ１０４に移行して、位置検出センサ１５ｅの信号が確認される。尚、ＳＴＥＰ１０４〜ＳＴＥＰ１０６の動作によって、位置検出センサ１５ｅによって、搬送元となるベイトマネー収納部１４からベイトマネーが搬出されたか否かが確認される。【００６３】
又、ＳＴＥＰ１０６で、不図示のタイマにおける時間が０となった場合は（Ｙｅｓ）、紙幣の搬送異常が発生したものと上部ユニット制御部１７が確認し、この搬送異常をメモリ２１に記録する（ＳＴＥＰ１１６）。このとき、位置検出センサ１５ｅの設置位置、即ち、ベイトマネー収納部１４の搬出口において搬送異常が発生したことが、メモリ２１に記録されることとなる。【００６４】
ＳＴＥＰ１０４において、位置検出センサ１５ｅの信号に基づいて、ベイトマネーとなる紙幣の束の通過が確認されると（Ｙｅｓ）、この位置検出センサ１５ｅの設置位置でのベイトマネーとなる紙幣の束の通過後にも、位置検出センサ１５ｅによって紙幣の検出が成されたか否かが確認される（ＳＴＥＰ１０７）。このとき、位置検出センサ１５ｅによって紙幣が検出されると（Ｙｅｓ）、ベイトマネーが全て通過したものではないものと判定し、再び、ＳＴＥＰ１０４に移行して、位置検出センサ１５ｅによるベイトマネーの通過が確認される。一方、位置検出センサ１５ｅによる紙幣の検出がない場合（Ｎｏ）、搬送路１２ｂ上に設置された位置検出センサ１５ｃからの信号に基づいて、搬送路１２ｂにおける位置検出センサ１５ｃの設置位置を、ベイトマネーとなる紙幣の束が通過したか否かが確認される（ＳＴＥＰ１０８）。【００６５】
このＳＴＥＰ１０８において、ベイトマネーとなる紙幣の束の通過が確認されていない場合（Ｎｏ）、ＳＥＴＰ１０５及びＳＴＥＰ１０６と同様、不図示のタイマによる時間が処理にかかる時間Δｔ３だけ減算された後（ＳＴＥＰ１０９）、減算された時間が０となって、タイムアウトとなったか否かが確認される（ＳＴＥＰ１１０）。尚、ＳＴＥＰ１０７〜ＳＴＥＰ１１０の動作によって、位置検出センサ１５ｃによって、搬送途中の搬送路１２ｂをベイトマネーが通過したか否かが確認されるとともに、位置検出センサ１５ｅによって、搬送が失敗した残留紙幣の有無が確認される。【００６６】
そして、ＳＴＥＰ１１０で、不図示のタイマにおける時間が０でない場合は（Ｎｏ）、ＳＴＥＰ１０７に移行して、位置検出センサ１５ｅの信号が確認される。一方、ＳＴＥＰ１１０で、不図示のタイマにおける時間が０となった場合は（Ｙｅｓ）、ＳＴＥＰ１１６に移行して、搬送路１２ｂの位置検出センサ１５ｃの設置位置において搬送異常が発生したことが、メモリ２１に記録されることとなる。【００６７】
又、ＳＴＥＰ１０８において、位置検出センサ１５ｃの信号に基づいて、ベイトマネーとなる紙幣の束の通過が確認されると（Ｙｅｓ）、ＳＥＴＰ１０７と同様、既にベイトマネーとなる紙幣の束の通過を確認した位置検出センサ１５ｅによって紙幣の検出が成されたか否かが確認される（ＳＴＥＰ１１１）。そして、位置検出センサ１５ｅによって紙幣が検出されると（Ｙｅｓ）、ＳＴＥＰ１０４に移行して、位置検出センサ１５ｅによるベイトマネーの通過が確認される。一方、位置検出センサ１５ｅによる紙幣の検出がない場合（Ｎｏ）、次に、ベイトマネーとなる紙幣の束の通過を確認した位置検出センサ１５ｃによって紙幣の検出が成されたか否かが確認される（ＳＴＥＰ１１２）。【００６８】
そして、ＳＴＥＰ１１２において、位置検出センサ１５ｃによって紙幣が検出されると（Ｙｅｓ）、ＳＴＥＰ１０７に移行して、位置検出センサ１５ｅによるベイトマネーの有無が確認される。一方、位置検出センサ１５ｃによる紙幣の検出がない場合（Ｎｏ）、位置検出センサ１５ｄからの信号に基づいて、一時保留部１１の搬入口における位置検出センサ１５ｄの設置位置を、ベイトマネーとなる紙幣の束が通過したか否かが確認される（ＳＴＥＰ１１３）。【００６９】
このＳＴＥＰ１１３において、ベイトマネーとなる紙幣の束の通過が確認されていない場合（Ｎｏ）、ＳＥＴＰ１０５及びＳＴＥＰ１０６やＳＴＥＰ１０９及びＳＴＥＰ１１０と同様、不図示のタイマによる時間が処理にかかる時間Δｔ３だけ減算された後（ＳＴＥＰ１１４）、減算された時間が０となって、タイムアウトとなったか否かが確認される（ＳＴＥＰ１１５）。尚、ＳＴＥＰ１１１〜ＳＴＥＰ１１５の動作によって、位置検出センサ１５ｄによって、搬送先となる一時保留部１１にベイトマネーが搬入されたか否かが確認されるとともに、位置検出センサ１５ｃ，１５ｅによって、搬送が失敗した残留紙幣の有無が確認される。【００７０】
そして、ＳＴＥＰ１１５で、不図示のタイマにおける時間が０でない場合は（Ｎｏ）、ＳＴＥＰ１１１に移行して、位置検出センサ１５ｅの信号が確認される。一方、ＳＴＥＰ１１５で、不図示のタイマにおける時間が０となった場合は（Ｙｅｓ）、ＳＴＥＰ１１６に移行して、一時保留部１１の搬入口において搬送異常が発生したことが、メモリ２１に記録されることとなる。【００７１】
ＳＴＥＰ１１３において、位置検出センサ１５ｄの信号に基づいて、ベイトマネーとなる紙幣の束の通過が確認されたとき（Ｙｅｓ）、又は、ＳＴＥＰ１１６において、位置検出センサ１５ｃ〜１５ｅそれぞれの設置位置での搬送異常がメモリ２１に記録されると、ベイトマネーの搬送動作を停止する（ＳＴＥＰ１１７）。即ち、ベイトマネー収納部１４において、ストッパ解除用ソレノイド４６によって、ストッパ４５を、ベイトマネー４０の搬送の禁止状態とするとともに、繰出用ローラ４４ａ，４４ｂによる繰出動作を停止する。そして、搬送路１２ｂの搬送動作を停止する。【００７２】
その後、一時保管部１１に収納されたベイトマネーによる紙幣の束を紙幣出金口１０ａ，１０ｂのいずれか一方に搬出した後（ＳＥＴＰ１１８）、メモリ２１の記録内容に基づいて、搬送異常の有無が確認される（ＳＴＥＰ１１９）。尚、ＳＴＥＰ１１８において、上位端末２ａ，２ｂに応じて、搬出する紙幣出金口１０ａ，１０ｂが設定されても構わないし、操作部２２によって紙幣出金口１０ａ，１０ｂが設定されても構わないし、予め、紙幣出金口１０ａ，１０ｂのいずれかに設定が固定されているものとしても構わない。【００７３】
そして、ＳＴＥＰ１１９において、メモリ２１の記録内容により、搬送異常が有ったことが確認されると（Ｙｅｓ）、ディスプレイ２３に搬送路での搬送異常があったことを表示し（ＳＴＥＰ１２０）、動作を終了する。一方、搬送異常が確認されなかった場合は（Ｎｏ）、正常に搬送されたものとして、動作を終了する。【００７４】
尚、ＳＴＥＰ１２０における搬送異常の表示については、操作を行っている上位端末２ａ，２ｂに表示されるものとしても構わない。又、この搬送異常の表示において、位置検出センサ１５ｃ〜１５ｄのいずれの設置位置における搬送異常であるかが表示されるものとしても構わない。更に、その搬送異常が、ベイトマネーの通過の有無、又は、残留紙幣の有無のいずれであるかが表示されるものとしても構わない。【００７５】
このように、ベイトマネーの出金動作においては、搬送する際に発生する異常の有無に関係なく、所定時間が経過すると、又は、異常なく搬送されると、強制的に一時保留部１１に収納されたベイトマネーが紙幣出金口１０ａ，１０ｂのいずれかに出金される。尚、この所定時間の経過については、上述のように出金開始から所定時間の経過を確認するものであっても構わないし、各センサ位置でのベイトマネーの通過許容時間の総和が所定時間以内であるものとしても構わない。【００７６】
又、この搬送路１２ｂにおける搬送異常以外に、搬送される紙幣の長さや厚みや傾きなどにおいて発生する異常が検出されても、この検出された異常に関係なく、強制的に一時保留部１１に収納されたベイトマネーが紙幣出金口１０ａ，１０ｂのいずれかに出金される。尚、これらの搬送異常以外の異常については、ベイトマネーの出金時において検出動作自体が行われないものとしても構わない。【００７７】
更に、本実施形態では、ベイトマネーの搬送時に搬送異常などがあったとしても、可能な限り搬送を継続して一時保留部１１へベイトマネーの搬送を行い、紙幣出金口１０ａ，１０ｂに出金するようにしている。そして、検出された搬送異常を含む各種異常については、異常情報として確実にメモリ２１に記録する。【００７８】
（ベイトマネーの収納）
１．収納の第１例
ベイトマネー４０となる紙幣のベイトマネー収納部１４の収納の第１例について、説明する。操作部２２又は上位端末２ｘ，２ｙによってベイトマネーの収納が指示されると、上部ユニット１ｘのベイトマネー収納部１４の設置位置に設けられた扉（不図示）が開かれる。そして、この扉が開いた挿入口よりベイトマネー４０となる紙幣の束を挿入することで、セットトレイ４１にベイトマネー４０を積載する。【００７９】
そして、ベイトマネー４０が挿入されたことが、紙幣セット検知レバー４２の回動によって紙幣セット検知センサ４３が確認すると、ベイトマネー４０となる紙幣それぞれにおける記番号などの紙幣を特定する情報(以下、「紙幣特定情報」とする)の入力が求められる。このとき、ディスプレイ２３又は上位端末２ｘ，２ｙにおいて、紙幣特定情報の入力を要求する表示がなされる。【００８０】
この入力の要求に応じて、操作部２２又は上位端末２ｘ，２ｙによって、ベイトマネー４０となる紙幣それぞれの紙幣特定情報が入力されると、上部ユニット制御部１７において、入力された紙幣特定情報が認識される。このとき、認識された紙幣特定情報が、ディスプレイ２３又は上位端末２ｘ，２ｙに表示されるものとしても構わない。そして、上部ユニット制御部１７によって、ベイトマネー収納部１４に設置されたベイトマネー４０となる紙幣それぞれの紙幣特定情報がメモリ２１に記録されると、ベイトマネー収納部１４の設置位置に設けられた扉（不図示）を閉じて、ベイトマネーの収納が終了する。【００８１】
２．収納の第２例
ベイトマネー４０となる紙幣のベイトマネー収納部１４の収納の第２例について、説明する。本例では、第１例と異なり、収納カセット１６ａ〜１６ｆに収納されている紙幣が、ベイトマネー４０としてベイトマネー収納部１４に搬送されて収納される。このとき、操作部２２又は上位端末２ｘ，２ｙによってベイトマネーの収納が指示されると、上部制御ユニット１７によって、下部制御ユニット１８を通じて、収納カセット１６ａ〜１６ｆの一つによる紙幣の繰り出し動作が制御される。【００８２】
そして、選択された収納カセット１６ａ〜１６ｆの一つから１枚ずつ繰り出された紙幣が、搬送路１２ｘより上部ユニット１ｘに搬送されると、上部ユニット１ｘの搬送路１２よりベイトマネー収納部１４に搬送される。尚、本例において、上部ユニット１ｘの搬送路１２として、下部ユニット１ｙの搬送路１２ｘからベイトマネー収納部１４へ搬送する搬送路を備えるものとする。又、このベイトマネー収納部１４への搬送路上において、収納カセット１６ａ〜１６ｆの１つからベイトマネー収納部１４へ搬送される紙幣の紙幣特定情報を認識するために、不図示であるが、紙幣特定情報を読み取る紙幣識別部を備えるものとする。【００８３】
又、ベイトマネーの収納が指示されると、ベイトマネー収納部１４において、ストッパ解除用ソレノイド４６によってストッパ４５による搬送禁止状態が解除され、搬送路１２からセットトレイ４１への紙幣の搬入が可能な状態となる。そして、搬送路１２よりベイトマネー収納部１４の搬入口まで搬送された紙幣が、繰出用ローラ４４ａ，４４ｂの回転駆動により、ベイトマネー収納部１４内に搬入されてセットトレイ４１に積載される。【００８４】
このようにして、ベイトマネー４０として搬送された紙幣がセットトレイ４１に載置されて、ベイトマネー収納部１４に収納されると、搬送路１２，１２ｘ及び繰出用ローラ４４ａ，４４ｂによる搬送動作を終了する。その後、ストッパ解除用ソレノイド４６によってストッパ４５を駆動して、ベイトマネー収納部１４に対して紙幣の搬入出を禁止する。又、収納カセット１６ａ〜１６ｆの一つからベイトマネー収納部１４に搬送された紙幣が、ベイトマネー４０としてベイトマネー収納部１４に収納されるとき、上述した紙幣識別部で各紙幣の特定情報が読み取られる。このベイトマネー４０となる各紙幣の紙幣特定情報が上部ユニット制御部１７で認識された後、メモリ２１に記録される。【００８５】
尚、本例のように、紙幣の特定情報を読み出すことができる紙幣識別部を備えている場合には、例えば、図１３に示す紙幣入出金機のように、紙幣入金口５０を備えた装置では、ベイトマネー４０として収納される紙幣が紙幣入金口５０から入金されるものとしても構わない。このとき、上部ユニット１ｘに紙幣入金口５０が設けられ、この紙幣入金口５０に挿入された紙幣が１枚ずつ繰り出されて、搬送路１２を通じてベイトマネー収納部１４に搬送される。そして、入金口からベイトマネー収納部１４に搬送される際において、紙幣識別部で各紙幣の紙幣特定情報が読み出されて、メモリ２１に記録される。例として示した図１３の紙幣入出金機では、出金する紙幣又はベイトマネーを、紙幣入金口５０の下側に配置された紙幣出金口１０に搬送して出金する。【００８６】
この図１３に示す紙幣入出金機の断面図を図１４に示す。図１４に示す紙幣入出金機は、下部ユニット１ｙに、紙幣を収納する収納カセット１６以外に、回収カセット７０が設置される。回収カセット７０は下部ユニット１ｙより引き出すことが可能な構成であり、オーバーフローした紙幣を回収する回収ボックス７０ａと、偽券と判定された紙幣を回収する偽券回収ボックス７０ｂとを備える。尚、図１３及び図１４における紙幣入出金機においては、収納カセット１６として、２枚のテープ間に紙幣を挟み、回転ドラムの周面に巻き付ける形式の巻き取り方式のカセットで構成される。【００８７】
又、上部ユニット１ｘにおいては、一時保留部１１及びベイトマネー収納部１４以外に、紙幣入金口５０に入金された紙幣を搬送路１２に繰り出す繰出部５１と、紙幣入金口５０に入金された紙幣の紙幣特定情報や真偽を識別する識別ユニット５２と、紙幣出金口１０に紙幣の払い出しを行う払出部５３と、を備える。そして、一時保留部１１では、収納カセット１６から出金される紙幣や紙幣入金口５０より入金された紙幣を一時的に保留するために使用される。このとき、ベイトマネー収納部１４は一時保留部１１よりも払出部５３に近い位置に設置される。【００８８】
このように構成されるとき、通常出金が行われるとき、収納カセット１６から繰り出された紙幣が一時保留部１１に一時的に保留された後、払出部５３を通じ紙幣出金口１０より出金される。そして、ベイトマネー出金時には、ベイトマネー収納部１４よりベイトマネーが払出部５３に搬送され、紙幣出金口１０より出金される。又、通常入金が行われるときは、紙幣入金口５０に入金された紙幣が繰出部５１より識別ユニット５２を通じて、真券と判定された紙幣が一時保留部１１に一時的に保留された後、紙幣の種類毎に下部ユニット１ｙの収納カセット１６に振り分けられる。そして、ベイトマネー入金時には、紙幣入金口５０に入金されたベイトマネーが繰出部５１より識別ユニット５２に搬送されて、その紙幣特定情報が確認された後、ベイトマネー収納部１４に収納される。【００８９】
尚、上述のベイトマネーの収納動作の各例において、紙幣特定情報について、メモリ２１に記録されるものとしたが、上位端末２ｘ，２ｙに記録されて管理されるものとしても構わない。又、紙幣特定情報を、メモリ２１又は上位端末２ｘ，２ｙ以外に記録して管理するものとしても構わない。【００９０】
又、上述のベイトマネー収納部１４において、ベイトマネー４０が載置される部位が、セットトレイ４１によって構成されるものとしたが、収納カセット１６ａ〜１６ｆと同様のカセットによって上位ユニット１ｘに構成されるものとしても構わない。又、ベイトマネー収納部１４が、上位ユニット１ｘの後面１ｂ付近に設置されるものとしたが、ベイトマネー収納部１４を設置する空間があれば、一時保留部１１に更に近い位置に設置されるものとし、その搬送時間を更に短くするとともに、搬送異常の発生率を更に抑制するものとしても構わない。【００９１】
更に、ベイトマネー収納部１４と紙幣出金口１０ａ，１０ｂとの間の搬送距離が、収納カセット１６ａ〜１６ｆと紙幣出金口１０ａ，１０ｂとの間の搬送距離よりも短ければ、ベイトマネー収納部１４から紙幣出金口１０ａ，１０ｂへベイトマネーを搬送する搬送路が、収納カセット１６ａ〜１６ｆから紙幣出金口１０ａ，１０ｂへの搬送路１２と異なるものであっても構わないし、少なくともその一部が搬送路１２と重なるものであっても構わない。【００９２】
又、上述の実施形態では、紙幣出金機がスタッカ方式の紙幣収納部を備え、又、紙幣入出金機が巻き取り式の紙幣収納部備えるものとして説明したが、紙幣出金機が巻き取り方式の紙幣収納部を備え、又、紙幣入出金機がスタッカ式の紙幣収納部備えるものとしても構わない。更に、上述の実施形態では、出金する紙幣を一時保留部１１に保留した後に紙幣出金口１０ａ，１０ｂに搬送して出金するものとしたが、一時保留部１１を備えていない構成とし、出金する紙幣やベイトマネーが直接紙幣出金口１０ａ，１０ｂに搬送されて出金されるものとしても構わない。
【産業上の利用可能性】
【００９３】
尚、上述の実施形態では、金融機関の係員（テラー）が使用するような紙幣出金機を代表して説明したが、紙幣の入金及び出金を行う紙幣入出金機や、釣銭となる紙幣を出金する釣銭機に対しても適用可能である。
【図１】
2008078382.tif 000003
【図２】
2008078382.tif 000004
【図３】
2008078382.tif 000005
【図４】
2008078382.tif 000006
【図５】
2008078382.tif 000007
【図６】
2008078382.tif 000008
【図７】
2008078382.tif 000009
【図８】
2008078382.tif 000010
【図９】
2008078382.tif 000011
【図１０】
2008078382.tif 000012
【図１１】
2008078382.tif 000013
【図１２】
2008078382.tif 000014
【図１３】
2008078382.tif 000015
【図１４】
2008078382.tif 000016
【手続補正書】
【提出日】平成21年6月19日(2009.6.19)
【手続補正１】
【補正対象書類名】図面
【補正対象項目名】図３
【補正方法】変更
【補正の内容】
【図３】
2008078382.tif 000017
【手続補正２】
【補正対象書類名】図面
【補正対象項目名】図９
【補正方法】変更
【補正の内容】
【図９】
2008078382.tif 000018
【国際調査報告】
2008078382.tif 000019
2008078382.tif 000020